(57)【要約】【課題】金属製網体の裏面に簡単に張付けることができる裏張りネットと、この裏張りネットを用いた二重網構造物を提供する。【解決手段】裏張りネット１０は、開口面積が２５ｃｍ２　以下の小さな網目を有する合成樹脂製ネット１の片面に、この合成樹脂ネットの網目よりも大きい金属製網体の網目に嵌め込まれる凸部２を複数設けた構成とする。この裏張りネット１０は、金属製網体の裏面に重ねて凸部２を金属製網体の網目に嵌め込むことにより、金属製網体の裏面に簡単に張付けて二重網構造物を得ることができる。【選択図】　図２
2004075135.tif 000002
【特許請求の範囲】
【請求項１】
開口面積が２５ｃｍ２　以下の小さな網目を有する合成樹脂製ネットの片面に、この合成樹脂ネットの網目よりも大きい金属製網体の網目に嵌め込まれる凸部を複数設けたことを特徴とする裏張りネット。
【請求項２】
凸部が先広がりの形状になっている請求項１に記載の裏張りネット。
【請求項３】
合成樹脂製ネットが発泡したネットである請求項１又は請求項２に記載の裏張りネット。
【請求項４】
請求項１ないし請求項３のいずれかに記載の裏張りネットを、その合成樹脂ネットの網目よりも大きい網目を有する金属製網体にて形成された構造物の該金属製網体の裏面に重ね、裏張りネットの凸部を該金属製網体の網目に嵌め込んで張付けたことを特徴とする二重網構造物。
【請求項５】
金属製網体にて形成された構造物が搬送用網篭である請求項４に記載の二重網構造物。
【請求項６】
金属製網体にて形成された構造物が盛土用法枠である請求項４に記載の二重網構造物。
【請求項７】
金属製網体にて形成された構造物が蛇篭である請求項４に記載の二重網構造物。
【発明の詳細な説明】
【０００１】
【発明の属する技術分野】
本発明は、大きい網目を有する金属製網体の裏面に簡単に張付けることができる網目の小さい裏張りネットと、この裏張りネットを用いた二重網構造物に関する。
【０００２】
【従来の技術】
金属製網体で形成された「メッシュパレット」と呼ばれる折畳み式の搬送用網篭は、その金属製網体の網目が大きいため、内容物が網目からこぼれ出す心配があった。また、野菜等を入れて搬送すると、金属製網体の金属線に野菜等が押付けられて傷がつく心配もあった。
【０００３】
そこで、上記の対策として、小さな網目の合成樹脂製ネットを搬送用網篭の金属製網体の裏面（内面）に張付けているが、次のような問題があった。
【０００４】
【発明が解決しようとする課題】
即ち、合成樹脂製ネットを搬送用網篭の金属製網体の裏面に張付ける手段として、インシュロックタイ等の結束線を用いて金属製網体と合成樹脂製ネットを数十箇所結び付けているため、この作業が面倒で非常に手間がかかり、コスト高になるという問題があった。
【０００５】
本発明は斯かる問題に対処すべくなされたもので、その目的とするところは、金属製網体の裏面に簡単に張付けることができる裏張りネットと、この裏張りネットを用いた二重網構造物を提供することにある。
【０００６】
【課題を解決するための手段】
上記目的を達成するため、本発明の請求項１に係る裏張りネットは、開口面積が２５ｃｍ２　以下の小さな網目を有する合成樹脂製ネットの片面に、この合成樹脂ネットの網目よりも大きい金属製網体の網目に嵌め込まれる凸部を複数設けたことを特徴とする。
【０００７】
このような裏張りネットは、金属製網体の裏面に重ねて凸部を金属製網体の網目に嵌め込むことにより、簡単に張付けることができる。そして、この裏張りネットは、網目の開口面積が２５ｃｍ２　以下と小さなものであるから、網目の大きい金属製網体の裏面に張付けると、金属製網体の網目から物がこぼれるのを防止でき、また、物が金属製網体の金属線に直接当たらないように緩衝材としての役目も果たすことができる。
【０００８】
次に、請求項２の裏張りネットは、上記請求項１の裏張りネットにおいて、その凸部が先広がりの形状になっていることを特徴とする。
【０００９】
この裏張りネットのように凸部が先広がりの形状になっていると、金属製網体の網目に嵌め込まれた凸部が抜け出さないため、裏張りネットが剥離する心配がなくなる。
【００１０】
次に、請求項３の裏張りネットは、上記請求項１の裏張りネットにおいて、その合成樹脂製ネットが発泡したネットであることを特徴とする。
【００１１】
このように合成樹脂製ネットが発泡したネットであると、柔軟性や弾力性が増すため緩衝機能が更に向上し、裏張りネットの軽量化を図ることも可能となる。
【００１２】
次に、請求項４の二重網構造物は、上記請求項１〜３のいずれかの裏張りネットを、その合成樹脂ネットの網目よりも大きい網目を有する金属製網体にて形成された構造物の該金属製網体の裏面に重ね、裏張りネットの凸部を該金属製網体の網目に嵌め込んで張付けたことを特徴とする。
【００１３】
このような二重網構造物は、裏張りネットの張付け作業が簡単で手間がかからないため、従来よりもコストの低減を図ることができ、上述したように、裏張りネットによって金属製網体の網目からの漏れ防止や緩衝機能を十分に発揮することができる。
【００１４】
具体的な二重網構造物の代表例としては、請求項５に記載の搬送用網篭や、請求項６に記載の盛土用法枠や、請求項７に記載の蛇篭等が挙げられる。
【００１５】
【発明の実施の形態】
以下、図面を参照して本発明の具体的な実施形態を詳述する。
【００１６】
図１は本発明の一実施形態に係る裏張りネットの平面図、図２は同裏張りネットの一部拡大断面図、図３は同裏張りネットを用いた本発明の二重網構造物の基本的な実施形態を示す平面図、図４は同二重網構造物の一部拡大断面図である。
【００１７】
図１に示す裏張りネット１０は、合成樹脂製ネット１の片面の四隅に凸部２を設けたものである。この合成樹脂ネット１は、合成樹脂の縦糸１ａと合成樹脂の横糸１ｂをそれぞれの交点で融着したネットであって、開口面積が２５ｃｍ２　以下の小さい方形の網目１ｃを有している。網目１ｃの開口面積が２５ｃｍ２　より大きい合成樹脂製ネットは、網目から物がこぼれ易いので不適当である。更に好ましい網目１ｃの開口面積は１０ｃｍ２　以下であり、特に、網目１ｃの開口面積が１ｃｍ２　程度であって縦糸１ａ及び横糸１ｂの太さが１〜３ｍｍ程度である合成樹脂製ネット１は、網目１ｃから物がこぼれにくく適度な通風性があり、しかも、強度が大きくて破れにくいため、最適である。
【００１８】
合成樹脂製ネット１の網目１ｃの形状は、方形（角目）に限定されるものではなく、菱形（菱目）などでもよい。また、場合によっては、多数の孔を穿設した合成樹脂製多孔板なども合成樹脂製ネット１の代用品として使用することが可能である。
【００１９】
上記の合成樹脂製ネット１は無発泡のネットであるが、２〜１０倍程度に発泡させたネットであってもよい。このような合成樹脂製の発泡ネットは、無発泡のネットに比べて柔軟性や弾力性が大きく緩衝性能に優れるため、緩衝材としての役目を十分に果たし、しかも、裏張りネットの軽量化を図ることができる利点もある。
【００２０】
一方、上記の凸部２は、図３，図４に示すように、合成樹脂製ネット１を金属製網体３の裏面に張付ける際に、金属製網体３の大きい網目３ｃに嵌め込まれるものであって、合成樹脂製ネット１の四隅を加熱下にプレス成形することにより、数本の縦糸１ａ及び横糸１ｂを部分的に凸曲させて先広がり形状に形成されている。この凸部２の付根部分は金属製網体３の網目３ｃに納まる大きさであるのに対し、先広がりの先端部分は網目３ｃより若干広くなっている。そのため、この先端部分を弾性変形させながら、先広がりの凸部２を金属製網体３の網目３ｃに嵌め込むと、凸部２が網目３ｃから抜け難くなって、裏張りネット１０を剥離しないように金属製網体３の裏面に簡単に張付けることができる。
【００２１】
凸部２は上記の先広がり形状に限定されるものではなく、金属製網体３の網目３ｃに対して簡単に抜け出さないように嵌め込むことができる形状であれば、どのような形状でもよい。
【００２２】
また、凸部２を例えば図７に示すような略半球状に凸曲形成して、該凸部２を金属製網体３の網目３ｃに挿入し、凸部２の横糸１ｂと金属製網体３の横線３ｂとの間に楔材７を上方から挿通して、該楔材７の鉤形頭部を横線３ｂに係止させることにより、凸部２が網目３ｃから抜けないようにしてもよい。
【００２３】
本発明の二重網構造物の最も基本的なものは、上記のごとき構成の裏張りネット１０を、図３、図４に示すように、金属製網体３（合成樹脂製ネット１の網目１ｃよりも大きい網目３ｃを有する金属製網体）の裏面に重ね、裏張りネット１０の凸部２を金属製網体３の網目３ｃに嵌め込んで剥離しないように張付けたものである。金属製網体３としては、鉄線等の金属線からなる縦線３ａと横線３ｂを交点で溶接した所謂「溶接金網」と呼ばれるものが好ましく使用される。
【００２４】
溶接金網のような金属製網体３は、強度が大きいという利点を有する反面、大きい網目３ｃから物がこぼれるという欠点を有するが、この二重網構造物のように金属製網体３の裏面に裏張りネット１０が張付けられていると、上記の欠点が解消されるだけでなく、裏張りネット１０が緩衝材としての役目を同時に果たすため、裏側から物が金属製網体３の縦線３ａや横線３ｂに押付けられて損傷する心配も解消され、通風性が損なわれることもない。その上、この二重網構造物は裏張りネット１０の張付け作業が簡単で手間がかからないため、従来よりもコストの低減を図ることができる。
【００２５】
本発明の二重網構造物の代表例は、上記の利点を最大限活かすことができる、図５に示すような搬送用網篭である。この搬送用網篭はメッシュパレットと呼ばれるもので、その四側壁が、金属製網体３の裏面（内面）に裏張りネット１０を前述の要領で張付けたものからなり、折畳み自在に構成されている。そして、この搬送用網篭の底は二重底４に形成され、この二重底４の空間にフォークリフトのフォークが挿入されるようになっている。
【００２６】
上記の搬送用網篭は、例えば野菜などを搬送する場合に使用されるが、四側壁の金属製網体３の裏面に裏張りネット１０が張付けられているため、内容物が例えばジャガイモのような粒状物であっても、金属製網体３の網目からこぼれ出す心配がなく、また、内容物が金属製網体３の縦線３ａや横線３ｂに押付けられて傷がつく心配もない。そして、適度な通風性があるため、長距離輸送する場合でも、内容物の野菜等が腐ることがない。
【００２７】
本発明の二重網構造物のもう一つの代表例は、図６に示すような盛土用法枠である。この盛土用法枠は、金属製網体３で形成された水平枠部５と前面傾斜枠部６を有する構造物であって、その前面傾斜枠部６の金属製網体３の裏面に裏張りネット１０を前述の要領で張付けたものである。
【００２８】
このような盛土用法枠は、盛土の法面に沿って上下に積み重ねられると共に、各法枠の水平枠部５が法面の土中に埋設され、各法枠の前面傾斜枠部６によって法面の崩落が防止されるものである。その場合、法枠の前面傾斜枠部６が金属製網体３のみで形成されていると、金属製網体３の大きい網目３ｃから土砂がこぼれるので、崩落を防止することは困難であるが、この盛土用法枠のように裏張りネット１０が前面傾斜枠部６の金属製網体３の裏面に張付けられていると、土砂がこぼれないため、法面の崩落を確実に防止することができる。
【００２９】
本発明の二重網構造物のもう一つの代表例は、土木用の蛇篭である。この蛇篭は、金属製網体３にて形成された円筒構造物の裏面（内面）に裏張りネット１０を張付けたもので、内部に石やコンクリート破砕片等を詰めて護岸工事などに使用される。このような蛇篭も、裏張りネット１０によって、石やコンクリート破砕片がこぼれるのを防止することができる。尚、蛇篭の金属製網体としては、上述した溶接金網よりも、金属線で製網した菱形の網目を有する変形の自由度が大きい金網の方が好ましく使用される。
【００３０】
【発明の効果】
以上の説明から明らかなように、本発明の裏張りネットは、その凸部を金属製網体の網目に嵌め込むことによって金属製網体の裏面に簡単に張付けることができ、この裏張りネットを金属製網体よりなる構造物の該金属製網体の裏面に張付けた本発明の二重網構造物は、裏張りネットの張付け作業が簡単であるためコストの低減を図ることができるだけでなく、裏張りネットによって金属製網体の網目から物がこぼれるのを防止したり、物が金属製網体の金属線に押付けられて損傷するのを防止することができるといった効果を奏する。
【図面の簡単な説明】
【図１】本発明の一実施形態に係る裏張りネットの平面図である。
【図２】同裏張りネットの一部拡大断面図である。
【図３】同裏張りネットを用いた本発明の二重網構造物の基本的な実施形態を示す平面図である。
【図４】同二重網構造物の一部拡大断面図である。
【図５】本発明の二重網構造物の代表例である搬送用網篭の斜視図である。
【図６】本発明の二重網構造物のもう一つの代表例である盛土用法枠の斜視図である。
【図７】本発明の他の実施形態に係る二重網構造物の一部拡大断面図である。
【符号の説明】
１　合成樹脂製ネット
１ａ　合成樹脂の縦糸１ａ
１ｂ　合成樹脂の横糸１ｂ
１ｃ　合成樹脂製ネットの網目
２　凸部
３　金属製網体
３ａ　金属線からなる縦線
３ｂ　金属線からなる横線
３ｃ　金属製網体の網目
【図１】
2004075135.tif 000003
【図２】
2004075135.tif 000004
【図３】
2004075135.tif 000005
【図４】
2004075135.tif 000006
【図５】
2004075135.tif 000007
【図６】
2004075135.tif 000008
【図７】
2004075135.tif 000009